(57)【特許請求の範囲】
【請求項１】
ベッド側面から上方に起立しベッド上の人やふとんの落下を防止する壁面を形成すべく枠体内方に壁面部材を張設してなるガード部、該ガード部両側下方よりベッド面と水平方向に突出しベッドのマットレス下面に差し込まれるマットレス差込部からなり、
前記マットレス差込部と前記ガード部との連接個所には、前記マットレス差込部の基端部に配設された軸受体と、これに回動自在に係合する前記ガード部下端に配設された軸と、前記ガード部下部に配設され前記軸受体の凹溝に対し嵌挿自在且つ前記凹溝方向に付勢されてなる係合部とから形成され前記マットレス差込部と前記ガード部を互いに回動自在とする第１の連結回動部材を配設し、前記マットレス差込部と前記ガード部とは折りたたみ自在に形成され、ベッドに取り付けられる状態においてはガード部をベッドの外側方向に回動させてベッド側面の下部に位置させベッド側面からの起立状態を解除することが可能であり、またベッドから取り外した状態においてはマットレス差込部をガード部に当接する方向に回動させて折りたたむことを可能とするとともに、
前記枠体は長手方向中央部で分割状に形成し、前記枠体の両分割個所には、前記枠体に介在して枠体同士を繋げ且つ前記枠体を１８０度回転させて二つ折りとする蝶番機能を備えた第２の連結回動部材を配設し、前記ガード部は二つ折り自在に形成されることを特徴とするベッドガード。
【請求項２】
マットレス差込部の先端には、差し込まれたマットレスとの間で摩擦を増大させるための滑り止め手段を備えたことを特徴とする請求項１記載のベッドガード。
【請求項３】
ガード部の壁面部材はメッシュ材を備えたシート体とすることを特徴とする請求項１または２に記載のベッドガード。
【請求項４】
ガード部は、連結回動部材を被覆する保護部材を備えることを特徴とする請求項１乃至３のいずれかに記載のベッドガード。
【請求項５】
ガード部は、収納用のポケット部を備えることを特徴とする請求項１乃至４のいずれかに記載のベッドガード。
【請求項６】
滑り止め手段は、マットレス差込部の抜き差し方向と直角に形成されマットレス下面に当接する複数の凸条を備えることを特徴とする請求項２記載のベッドガード。
【請求項７】
ポケット部はメッシュ材にて形成することを特徴とする請求項５記載のベッドガード。
【発明の詳細な説明】
【技術分野】
【０００１】
本発明は、ベッド上の人や布団の落下を防ぐことができるベッドガードに関し、特に通常の家庭用のベッドに簡単に取り付けることができるとともに、折りたたんで容易に収納することができるベッドガードに関する。
【背景技術】
【０００２】
従来、通常の家庭用のベッドでは側部に柵が設置されていると、マットレスに腰掛けて乗り降りする際に柵が邪魔になることから多くは側柵が存在しなかった。そのため、乳幼児を柵で囲まれたベビーベッドではなく、側柵のない通常の大人用のベッドに寝かせた場合には、乳幼児が落下するおそれがあった。そこで、側柵のない通常のベッドに取り付けることができる側柵が案出された（特許文献１参照）。
【特許文献１】特開２００２−４５２６８号公報
【発明の開示】
【発明が解決しようとする課題】
【０００３】
しかしながら、上述した従来のベッド用の側柵は、マットレスの側部に起立する壁面を備えたガード部と、このガード部の下端から水平に延出し、ベッドのマットレス下面に差し込まれるコ字形状のマットレス差込部とから構成されており、マットレス差込部に対してガード部を回動して倒すことはできるものの、ベッドから取り外して収納する場合に、長く過ぎて収納場所に困るものであった。更に、丸いパイプを曲げた構造のマットレス差込部は、マットレス下面に差し込まれた状態であっても、ガード部に力が加わるとマットレス差込部が簡単にベッドから抜けてしまい、これによりベッド上の人や布団が落下する恐れがあった。
【０００４】
そこで本発明は、不使用時にコンパクトに収納することができる収納性に優れ、更に一旦ベッドに装備したら容易に抜け落ちる恐れのない安全なベッドガードを提供することを目的とする。
【課題を解決するための手段】
【０００５】
前述の目的を達成するため、本発明のベッドガードは、ベッド側面から上方に起立しベッド上の人やふとんの落下を防止する壁面を形成すべく枠体内方に壁面部材を張設してなるガード部、該ガード部両側下方よりベッド面と水平方向に突出しベッドのマットレス下面に差し込まれるマットレス差込部からなり、前記マットレス差込部と前記ガード部との連接個所には、前記マットレス差込部の基端部に配設された軸受体と、これに回動自在に係合する前記ガード部下端に配設された軸と、前記ガード部下部に配設され前記軸受体の凹溝に対し嵌挿自在且つ前記凹溝方向に付勢されてなる係合部とから形成され前記マットレス差込部と前記ガード部を互いに回動自在とする第１の連結回動部材を配設し、前記マットレス差込部と前記ガード部とは折りたたみ自在に形成され、ベッドに取り付けられる状態においてはガード部をベッドの外側方向に回動させてベッド側面の下部に位置させベッド側面からの起立状態を解除することが可能であり、またベッドから取り外した状態においてはマットレス差込部をガード部に当接する方向に回動させて折りたたむことを可能とするとともに、前記枠体は長手方向中央部で分割状に形成し、前記枠体の両分割個所には、前記枠体に介在して枠体同士を繋げ且つ前記枠体を１８０度回転させて二つ折りとする蝶番機能を備えた第２の連結回動部材を配設し、前記ガード部は二つ折り自在に形成されることを特徴とするものである。
【０００６】
また、マットレス差込部の先端には、差し込まれたマットレスとの間で摩擦を増大させるための滑り止め手段を備えたことを特徴とするものである。
また、ガード部の壁面部材はメッシュ材を備えたシート体とすることを特徴とするものである。
【０００７】
また、ガード部は、連結回動部材を被覆する保護部材を備えることを特徴とするものである。
【０００８】
また、ガード部は、収納用のポケット部を備えることを特徴とするものである。
【０００９】
また、滑り止め手段は、マットレス差込部の抜き差し方向と直角に形成されマットレス下面に当接する複数の凸条を備えることを特徴とするものである。
【００１０】
また、ポケット部はメッシュ材にて形成することを特徴とするものである。
【発明の効果】
【００１１】
本発明のベッドガードによれば、ベッド側面から上方に起立しベッド上の人やふとんの落下を防止する壁面を形成すべく枠体内方に壁面部材を張設してなるガード部、該ガード部両側下方よりベッド面と水平方向に突出しベッドのマットレス下面に差し込まれるマットレス差込部からなり、前記マットレス差込部と前記ガード部とは折りたたみ自在に形成されるとともに、前記ガード部は二つ折り自在に形成されることで、ガード部からの物品の落下を防ぐことができるとともに、ガードする必要がないときにはガード部をマットレス差込部に対して回動させて、ベッド側面の下部にジャマにならないように位置させることができ、更に不使用時にベッドから取り外してガード部とマットレス差込部を折りたたんでコンパクトに収納することができる。
【００１２】
また、マットレス差込部の先端には、差し込まれたマットレスとの間で摩擦を増大させるための滑り止め手段を備えることで、ベッドガードはベッドに装備した状態で容易に抜け落ちる恐れがなく、安全に使用することができる。
【００１３】
また、ガード部の枠体は長手方向の中途部分で連結回動部材を介して分割状に形成したことで、ベッドガードを使用しないときにベッドから取り外し、ガード部を二つ折りに折りたたんでコンパクトに収納することができる。
【００１４】
また、ガード部の壁面部材はメッシュ材を備えたシート体とすることで、ガード部が通気性を有してベッド上で快適に過ごすことができる。
【００１５】
また、ガード部は、第２の連結回動部材を着脱自在に被覆する保護部材を備えることで、ベッド利用者が第２の連結回動部材に直接当たることを防ぐことができる。
【００１６】
また、ガード部は、収納用のポケット部を備えることで、ベッド上で使用する物品をベッドから落とすことなく安全に収納させることができ、便宜である。
【００１７】
また、滑り止め手段は、マットレス差込部の抜き差し方向と直角に形成されマットレス下面に当接する複数の凸条を備えることで、マットレス下面に差し込んだマットレス差込部を抜き出す方向に力を加えても、複数の凸条がマットレス下面を擦ってブレーキとなってマットレス差込部は移動することがなく、これによりベッドガードはベッドに装備した状態で容易に抜け落ちる恐れがなく、安全に使用することができる。
【００１８】
また、ポケット部はメッシュ材にて形成することで、ベッド内及びベッド外からポケット部を透過して収納した物品を視認することができるので便宜である。
【発明を実施するための最良の形態】
【００１９】
図１及び図２は、本発明のベッドガードを示し、このベッドガード１は、パイプ２１を長方形状に組んで構成した枠体内にメッシュ材を備えたシート体２２を張設して壁面を構成するガード部２と、このガード部２の両側下方よりベッド面と水平方向に突出する２つのマットレス差込部３とから構成され、図１に示す使用状態のごとく、２つのマットレス差込部３をベッド４のマットレス５下面に深く差し込むと、ガード部２はベッド４の側部に隙間なく接してマットレス５上方に延びて位置する。
【００２０】
前記マットレス差込部３には、図４に示すごとく、先端に行くほど拡がる形状、すなわち三味線のバチやイチョウの葉のごとき形状で、合成樹脂製の滑り止め部材３１を先端に配設している。そして、この滑り止め部材３１におけるマットレス５下面と当接する面には、マットレス差込部３の抜き差し方向と直角に高さ数ミリメートルの複数の凸条３１１が形成されている。また、滑り止め部材３１の先端部分が薄くなるように傾斜させることで、マットレス差込部３はマットレス５を少し持ち上げるだけでその下面に差し込みやすくなる。そして、複数の凸条３１１を滑り止め部材３１上面に形成することで、マットレス５下面との間の摩擦が増大し、これによりベッド上に荷重がかかっている状態でベッドガード１を移動させようとしても滑り止め部材３１は移動することを防ぐものである。
【００２１】
前記ガード部２とマットレス差込部３との連接個所には、図４及び図５に示すごとく、ガード部２とマットレス差込部３とを相互に回動自在とするための第１の連結回動部材６を配設している。この第１の連結回動部材６は、マットレス差込部３の基端部に配設された軸受体３２と、これに回動自在に係合するガード部２下端に配設された軸２３と、ガード部２下部に配設され前記軸受体３２に凹設された凹溝３３に対し、上下動させることで嵌挿自在な係合部２４とから構成される。この係合部２４は、内部に配設したスプリングにより図４の下方向に常に付勢されていて、係合部２４上端の鍔縁２４１から手を離すと、係合部２４は降下して前記凹溝３３に係合し、これによりマットレス差込部３はガード部２に対して直角に位置した状態で固定される。
【００２２】
そして、前述した係合部２４の鍔縁２４１を上方に持ち上げて係合部２４を凹溝３３から抜き去ると、ガード部２は図４に示すごとく、マットレス差込部３に対して回動自在となり、これによりベッドメークをする際などガード部２でのガードが必要ないときに、ガード部２をベッドの外側方向に１８０度回動させてベッド側面からの起立状態を解除して、ベッド側面の下部にジャマにならないように位置させることができる。また、ベッドガード１をベッドから取り外して収納する際には、前述した係合部２４の鍔縁２４１を上方に持ち上げて係合部２４を凹溝３３から抜き去って、ガード部２に対してマットレス差込部３を回動自在とし、マットレス差込部３をガード部２に当接する方向に回動させることで、図３及び図５に示すごとく、折りたたむことができる。
【００２３】
図３は、ガード部２を折りたたむ途中の状態を示しており、枠体を構成する上段のパイプ２１と下段のパイプ２１のそれぞれの中央には、２本のパイプ２１を繋げつつパイプ２１を１８０度回動させて二つ折りとすることができる蝶番の機能を有する第２の連結回動部材７を配設している。これにより、ガード部２を平らに伸展させたり折りたたんだりを自在に行うことができ、収納に際して省スペースとなり便宜である。
【００２４】
図６は、上段の第２の連結回動部材７を被覆するための布製のカバー部材８であり、通常はガード部２の裏面側にシート体２２の一部として取付形成されている。これは、ベッド利用者が、堅い第２の連結回動部材７に当たってけが等をすることを防いだり、第２の連結回動部材７自体を保護したりするための保護部材として機能するものであり、ベッドガード１の利用に際してカバー部材８を持ち起こして第２の連結回動部材７を被覆し、面ファスナ８１で着脱自在に固定するものである。そして、ベッドガード１を折りたたむ際には、カバー部材８の面ファスナ８１を剥がして第２の連結回動部材７の被覆を解除する。尚、下段の第２の連結回動部材７については、マットレス５に隠れて露出しないので特に被覆する必要はない。
【００２５】
図７は、上述したカバー部材８が配設されたガード部２の裏面側にシート体２２に形成されたポケット部９であり、ベッド利用者が小物などを収納するために用いるものである。このポケット部９を、シート体２２と同じネット素材で形成することで、外からポケット部９内を透過して視認することができ、収納物品の有無や何を収納したのかがすぐにわかるものである。また、このポケット部９の上部開口部を開閉自在に被蓋する蓋部材９１を設けてもよい。そして、このポケット部９と蓋部材９１、それに加え上述したカバー部材８をガード部２の同一個所に配設することで、本発明のベッドガードの製造時における工数を低減させることもできるものである。
【図面の簡単な説明】
【００２６】
【図１】本発明のベッドガードの使用状態を示す説明図である。
【図２】本発明のベッドガードを示す斜視図である。
【図３】本発明のベッドガードの折りたたみ途中を示す説明図である。
【図４】本発明のベッドガードにおけるマットレス差込部と第１の連結回動部材を示す説明図である。
【図５】本発明のベッドガードにおける第１の連結回動部材を示す説明図である。
【図６】本発明のベッドガードにおける第２の連結回動部材とカバー部材を示す説明図である。
【図７】本発明のベッドガードにおけるポケット部を示す説明図である。
【符号の説明】
【００２７】
１  ベッドガード
２  ガード部
２１  パイプ
２２  シート体
２３  軸
２４  係合部
２４１  鍔縁
３  マットレス差込部
３１  滑り止め部材
３１１  凸条
３２  軸受体
３３  凹溝
４  ベッド
５  マットレス
６  第１の連結回動部材
７  第２の連結回動部材
８  カバー部材
９  ポケット部
【図１】
0004960281.tif 000002
【図２】
0004960281.tif 000003
【図３】
0004960281.tif 000004
【図４】
0004960281.tif 000005
【図５】
0004960281.tif 000006
【図６】
0004960281.tif 000007
【図７】
0004960281.tif 000008